(57)【要約】      （修正有）【課題】照明装置において、利用者の体調の変化を気遣う快適な照明空間を提供する。【解決手段】照明装置１は、光源部５０と、取得部、予測部及び調節部を有する制御部と、を備える。光源部５０は、色温度を調節可能な光源を有する。取得部は、気圧に関する気圧情報を取得する。予測部はセンサ値が示す現在の気圧と、予報情報に基づく翌日の気圧とに基づいて翌日までの気圧の推移を予測する。調節部は、取得部によって取得された気圧情報に基づいて光源部の色温度を調節する。【選択図】図２
2020053128.tif 000002
【特許請求の範囲】
【請求項１】
色温度を調節可能な光源を有する光源部と；
気圧に関する気圧情報を取得する取得部と；
前記取得部によって取得された前記気圧情報に基づいて前記光源部の色温度を調節する調節部と；
を具備する照明装置。
【請求項２】
前記気圧を検出するセンサ；
を具備し、
前記取得部は、
前記センサから前記気圧情報を取得する
請求項１に記載の照明装置。
【請求項３】
前記調節部は、
前記気圧情報に連動させて前記色温度を調節する
請求項２に記載の照明装置。
【請求項４】
前記取得部は、
外部装置から気圧に関する予報情報を前記気圧情報として取得し、
前記調節部は、
前記予報情報に基づいて前記色温度を調節する
請求項１または２に記載の照明装置。
【請求項５】
前記予報情報に基づき、気圧の推移を予測する予測部；
を具備し、
前記調節部は、
前記予測部によって予測された前記気圧の推移に基づき、前記気圧の変化前に前記色温度を調節する
請求項４に記載の照明装置。
【請求項６】
前記予測部は、
前記光源部が設置される階数に応じて前記予報情報を補正する
請求項５に記載の照明装置。
【請求項７】
前記取得部は、
気温に関する気温情報を取得し、
前記調節部は、
前記気温情報に基づいて前記色温度を調節する
請求項１〜６のいずれか一つに記載の照明装置。
【発明の詳細な説明】
【技術分野】
【０００１】
本発明は、照明装置に関する。
【背景技術】
【０００２】
近年、住宅の部屋の天井等に設置される、ＬＥＤ（Light  Emitting  Diode）の高出力化、高効率化に伴い、光源としてＬＥＤを用いた屋内又は屋外で使用される長寿命化が期待できる照明装置が開発されている。また、照明装置として、相関色温度が異なる複数のＬＥＤを光源として、これらの明るさと光色を調整して生活シーンに合わせた照明を得るようにしたものが提案されている。
【先行技術文献】
【特許文献】
【０００３】
【特許文献１】特開２０１７−３３９５３号公報
【発明の概要】
【発明が解決しようとする課題】
【０００４】
しかしながら、従来の照明装置は、快適な照明空間を提供するうえで改善の余地があった。具体的には、従来の照明装置においては、利用者の体調の変化を気遣う点については考慮されていなかった。
【０００５】
本発明が解決しようとする課題は、快適な照明空間を提供することができる照明装置を提供することである。
【課題を解決するための手段】
【０００６】
実施形態に係る照明装置は、光源部と、取得部と、調節部とを備える。前記光源部は、相関色温度を調節可能な光源を有する。前記取得部は、気圧に関する気圧情報を取得する。前記調節部は、前記取得部によって取得された前記気圧情報に基づいて前記光源部の相関色温度を調節する。
【発明の効果】
【０００７】
本発明によれば、快適な照明空間を提供することができる。
【図面の簡単な説明】
【０００８】
【図１】図１は、実施形態に係る照明装置の搭載例を示す図である。
【図２】図２は、実施形態に係る照明装置のブロック図である。
【図３】図３は、実施形態に係る予測情報の具体例を示す図である。
【図４】図４は、実施形態に係る色温度情報の具体例を示す図である。
【図５】図５は、実施形態に係る照明装置が実行する処理手順を示すフローチャートである。
【発明を実施するための形態】
【０００９】
以下で説明する実施形態に係る照明装置１は、光源部５０と、取得部３１と、調節部３３とを具備する。光源部５０は、相関色温度を調節可能な光源を有する。取得部３１は、気圧に関する気圧情報を取得する。調節部３３は、取得部３１によって取得された気圧情報に基づいて光源部５０の相関色温度を調節する。
【００１０】
また、以下で説明する実施形態に係る照明装置１は、気圧を検出するセンサＳｃを具備し、取得部３１は、センサＳｃから気圧情報を取得する。
【００１１】
また、以下で説明する実施形態に係る照明装置１において、調節部３３は、気圧情報の変化に連動させて相関色温度を調節する。
【００１２】
また、以下で説明する実施形態に係る照明装置１において、取得部３１は、外部サーバから気圧に関する予報情報を気圧情報として取得し、調節部３３は、予報情報に基づいて相関色温度を調節する。
【００１３】
また、以下で説明する実施形態に係る照明装置１は、予報情報に基づき、気圧の推移を予測する予測部３２を具備し、調節部３３は、予測部３２によって予測された気圧の推移に基づき、気圧が低下する前に相関色温度を調節する。
【００１４】
また、以下で説明する実施形態に係る照明装置１において、予測部３２は、光源部５０が設置される階数に応じて予報情報を補正する。
【００１５】
また、以下で説明する実施形態に係る照明装置１において、取得部３１は、気温に関する気温情報を取得し、調節部３３は、気温情報に基づいて光源部５０の照度を調節する。
【００１６】
以下、図面を参照して、実施形態に係る照明装置１について説明する。実施形態において同一の部位には同一の符号を付し、重複する説明は省略される。
【００１７】
（実施形態）
まず、図１を用いて実施形態に係る照明装置１の概要について説明する。図１は、実施形態に係る照明装置１の概要を示す図である。図１に示すように、照明装置１は、制御部３０と、光源部５０とを具備する。なお、図１に示す例では、照明装置１が複数の光源部５０を有する場合を示しているが、光源部５０は、１つであってもよい。
【００１８】
制御部３０は、照明装置１全体を制御するコントローラである。例えば、制御部３０は、各光源部５０の明るさや相関色温度を制御することができる。本実施形態において、制御部３０は、周囲の気圧に関する気圧情報や、気温に関する気温情報を取得し、かかる気圧情報や気温情報に基づいて各光源部５０の相関色温度や照度を調節することができる。なお、以下では、相関色温度を単に「色温度」と記載する場合がある。
【００１９】
すなわち、実施形態に係る照明装置１は、気温の変化や気圧の変化に応じて、光源部５０の相関色温度や照度を調節することで、利用者の体調の変化を気遣うことが可能である。特に、実施形態に係る照明装置１は、気圧の変化に伴う利用者の片頭痛の発生を緩和することが可能である。
【００２０】
光源部５０は、色温度を調整可能な光源を有する。具体的には、光源部５０は、ＳＭＤ（Surface  Mount  Device）形やＣＯＢ（Chip  on  Board）形の基板上に配置された複数のＬＥＤ光源を有する。
【００２１】
ＬＥＤ光源は、例えば、白色で発光する白色光源と、青色、赤色、緑色等の有彩色でそれぞれ発光する有彩色光源とを有する。光源部５０は、制御部３０から入力される制御信号に基づき、白色光源および原色光源をそれぞれ発光させる割合を変更することで、任意の色度で発光することが可能である。
【００２２】
なお、光源部５０の光源は、上記の例に限られず、例えば、白色で発光する光源と、赤色で発光する光源の２種類で構成されることにしてもよい。また、光源は、ＬＥＤに限られず、ハロゲンランプなどを用いることにしてもよい。
【００２３】
次に、図２を用いて照明装置１の構成例について説明する。図２は、照明装置１のブロック図である。図２に示すように、照明装置１は、センサＳｃと、通信部１０と、操作部２０と、制御部３０と、記憶部４０と、複数の光源部５０とを具備する。
【００２４】
センサＳｃは、例えば、気圧を計測する気圧センサであり、光源部５０が設置される室内の気圧を計測し、計測結果を制御部３０へ通知する。なお、センサＳｃは、気圧センサに加え、室内の温度を計測する温度センサであってもよく、計測結果として気圧に加えて室温に関する情報を制御部３０へ通知することもできる。なお、以下では、センサＳｃの計測結果をセンサ値と記載する場合がある。
【００２５】
通信部１０は、インターネットやＷｉＦｉ（登録商標）等のネットワークを介して各種機器と通信を行う通信モジュールである。通信部１０は、外部サーバやスマートフォン、タブレット端末と通信を行うことが可能である。本実施形態において、通信部１０は、有線または無線の少なくとも一方の通信方式を用いることができる。
【００２６】
操作部２０は、利用者が照明装置１を操作するためのユーザインターフェースである。操作部２０は、利用者のユーザ操作に応じた制御信号を制御部３０へ入力する。また、後述するように、利用者は、操作部２０を介して動作モードを選択することも可能である。
【００２７】
記憶部４０は、ＤＲＡＭ、ＳＲＡＭ、フラッシュメモリ等の記憶装置である。記憶部４０には、制御部３０を動作させるプログラム等が格納されている。また、記憶部４０には、予測情報４１、スケジュール情報４２および色温度情報４３が格納される。
【００２８】
予測情報４１は、予測部３２によって予測された気圧の推移を示す情報である。なお、予測情報４１の具体例については、図３を用いて後述する。スケジュール情報４２は、各光源部５０で点灯させる相関色温度のスケジュールに関する情報である。例えば、スケジュール情報４２は、予測情報４１に基づいて生成される。また、色温度情報４３は、光源部５０の相関色温度に関する情報である。なお、色温度情報４３の具体例については、図４を用いて後述する。
【００２９】
制御部３０は、照明装置１の各部を制御するコントローラである。制御部３０は、ＣＰＵ、ＭＰＵ等のプロセッサであってもよいし、ＦＰＧＡ、ＡＳＩＣ等の集積回路であってもよい。制御部３０は、取得部３１と、予測部３２と、調節部３３とを備える。
【００３０】
また、本実施形態において、制御部３０は、第１モードまたは第２モードのいずれかの動作モードで動作することが可能である。ここで、第１モードは、気圧の変化に連動させて光源部５０の色温度を調節するモードであり、第２モードは、気圧の変化を予測し、気圧が低下する前に光源部５０の色温度を調節するモードである。
【００３１】
利用者は、操作部２０を介して第１モードまたは第２モードのいずれかの動作モードを選択することが可能である。なお、気圧にかかわらず、一定の色温度で常に動作する動作モードを設けることにしてもよい。
【００３２】
取得部３１は、気圧に関する気圧情報を取得する。具体的には、取得部３１は、センサＳｃから室内の気圧に関するセンサ値を気圧情報として取得したり、外部装置から気圧の予報情報を取得したりすることができる。なお、ここでの予報情報とは、例えば、照明装置１が設置される地域の翌日の気圧を予測した情報である。
【００３３】
また、外部装置は、例えば、天気予報を配信するサーバ装置であるが、取得部３１は、サーバ装置からスマートフォンやタブレット端末を介して予報情報を取得することも可能である。なお、取得部３１が、外部装置から取得する気圧情報は、予報情報に限られず、現在の気圧に関する情報であってもよい。
【００３４】
また、取得部３１は、予報情報として、気圧の推移に関する情報を取得することにしてもよい。この場合、外部装置は、気圧配置図から気圧の推移を予測することが可能である。
【００３５】
照明装置１が第１モードで動作する場合、取得部３１は、センサＳｃから入力される測定値を調節部３３へ出力する。また、照明装置１が第２モードで動作する場合、取得部３１は、外部装置から取得した予報情報およびセンサＳｃから取得した測定値を予測部３２へ出力する。
【００３６】
予測部３２は、予報情報に基づいて気圧の推移を予測し、予測した気圧の推移を記憶部４０に予測情報４１として格納する。予測部３２は、センサ値が示す現在の気圧と、予報情報に基づく翌日の気圧とに基づいて翌日までの気圧の推移を予測することができる。
【００３７】
すなわち、予測部３２は、現在の気圧と、翌日の気圧との差が大きいほど、急峻に気圧が変化すると予測し、現在の気圧と予報情報が示す翌日の気圧との差が少なければ、緩慢に気圧が変化すると予測することができる。また、予測部３２は、例えば、予報情報に気圧の変化に関する情報が含まれる場合、かかる予報情報に基づいて気圧の推移を予測することも可能である。
【００３８】
また、予測部３２は、気圧の推移を予測する場合に、過去の予報情報に対する実測値であるセンサ値に基づき、予報情報が示す翌日の気圧を補正することも可能である。これは、予報情報は、市町村単位など、所定範囲の気圧を予測する情報であり、照明装置１を設置する室内の気圧とズレが生じるおそれがあるためである。
【００３９】
すなわち、予測部３２は、予報情報をセンサ値で補正することで、より精度の高い予報情報を得ることができる。なお、一般的に、気圧は、標高が高くなるほど低くなる。このため、照明装置１が設置される建物の階数に応じて予報情報を補正することにしてもよい。
【００４０】
具体的には、予測部３２は、照明装置１が建物の１０階に設置される場合に比べて、建物の１階に設置される場合よりも、予報情報が示す気圧を低く補正することができる。これにより、より精度の高い予報情報を得ることができる。なお、ここでは、建物の階数に応じて予報情報を補正する場合について説明したが、標高や海抜に応じて予報情報を補正することにしてもよい。
【００４１】
調節部３３は、取得部３１によって取得された気圧情報に基づいて光源部５０の色温度を調節する。まず、第１モードにおける調節部３３の処理について説明する。上述のように、第１モードは、現在の気圧に連動させて、光源部５０の色温度を調節するモードである。
【００４２】
調節部３３は、第１モードにおいては、光源部５０の色温度を現在の気圧に応じて、光源部５０の色温度が例えば、通常設定または特別設定となるように制御する。調節部３３は、例えば、現在の気圧が所定の閾値を上回る場合に、色温度が通常設定である昼白色となるように光源部５０を制御し、現在の気圧が所定の閾値を下回る場合に、色温度が特別設定である温白色となるように光源部５０を制御する。
【００４３】
すなわち、調節部３３は、現在の気圧が閾値を下回る場合、色温度が低色温度となるように光源部５０を制御する。言い換えれば、調節部３３は、現在の気圧が低い場合に、光源部５０の赤みが増すように色温度を調節する。これにより、使用者の緊張を緩和することが可能となり、片頭痛を緩和する効果が期待できる。
【００４４】
一方で、調節部３３は、現在の気圧が閾値を上回る場合、光源部５０の青みが増すように色温度を調節する。つまり、片頭痛が発生しにくい状況においては、利用者が集中しやすい照明空間を提供することができる。
【００４５】
つまり、調節部３３は、第１モードにおいて、室内の現在の気圧に連動させて色温度を調節することで、利用者の片頭痛を緩和させることが可能となるので、快適な照明空間を提供することができる。
【００４６】
なお、ここでは、調節部３３が、現在の気圧と閾値とを比較して、光源部５０の色温度を調節する場合について説明したが、これに限定されるものではない。すなわち、気圧と連動させて段階的に色温度を調節することにしてもよい。この場合、調節部３３は、気圧が低下するにつれて、光源部５０の色温度を段階的に低下させることができる。
【００４７】
また、調節部３３は、例えば、センサ値を記憶しておき、所定期間内の気圧差が所定値（例えば１０ｈＰａ）を超えた場合に、色温度を低く調節するようにしてもよい。具体的には、調節部３３は、昨日からの気圧差が所定値を超えた場合に、色温度を低く調節するようにしてもよい。
【００４８】
続いて、第２モードにおける調節部３３の処理について説明する。上述のように、第２モードは、気圧の変化を予測し、気圧が低下する前に光源部５０の色温度を調節するモードである。
【００４９】
調節部３３は、第２モードにおいては、片頭痛の発生自体を未然に防ぐように、色温度を調節することができる。具体的には、第２モードにおいて、調節部３３は、予測情報４１に基づいてスケジュールを生成し、スケジュール情報４２として記憶部４０に格納する。そして、調節部３３は、スケジュール情報４２に基づいて色温度を調節する。
【００５０】
図３は、予測情報４１の具体例を示す図である。なお、図３では、縦軸に気圧を示し、横軸に時刻を示す。例えば、図３に示す時刻ｔ１２〜時刻ｔ１３の期間のように、気圧差が所定値（例えば、１０ｈＰａ）を超える場合、片頭痛が発生しやすい。
【００５１】
この場合、調節部３３は、気圧が下がり始める時刻ｔ１２において、色温度を下げるスケジュールを生成する。すなわち、調節部３３は、気圧が低下するより前に、色温度を昼白色から温白色へ調節する。これにより、気圧が低下する期間における片頭痛の発生を抑えることができる。
【００５２】
また、調節部３３は、気圧が上昇する場合、気圧の上昇後に、色温度を昼白色へ戻すことができる。すなわち、第２モードにおいて、調節部３３は、片頭痛が発生しやすい期間中は、色温度を低下させて光源部５０を点灯させることができる。これにより、片頭痛の発生自体を抑制することが可能となる。
【００５３】
図４は、実施形態に係る色温度情報４３の具体例を示す図である。色温度情報４３は、上記の通常設定および特別設定における各色温度に関する情報である。図４に示す例において、通常設定における色温度は５０００Ｋであり、特別設定における色温度は３６００Ｋである。
【００５４】
また、色温度情報４３に、光源部５０が有する各光源の出力値を含むものとする。調節部３３は、色温度情報４３に基づき、光源部５０が有する各光源の出力値を調節することで、色温度を調節することが可能である。なお、図４に示す色温度は、一例であり、これに限定されるものではく、任意に変更することが可能である。
【００５５】
次に、図５を用いて実施形態に係る照明装置１が実行する処理手順について説明する。図５は、実施形態に係る照明装置１が実行する処理手順を示すフローチャートである。なお、かかる処理手順は、制御部３０によって繰り返し実行される。
【００５６】
図５に示すように、照明装置１は、まず、動作モードが第１モードか否かを判定する（ステップＳ１０１）。照明装置１は、動作モードが第１モードでない場合（ステップＳ１０１，Ｎｏ）、予報情報を取得する（ステップＳ１０２）。
【００５７】
続いて、照明装置１は、予報情報に基づいて気圧の推移を予測し（ステップＳ１０３）、予測した気圧の推移に基づいて色温度のスケジュールを作成する（ステップＳ１０４）。
【００５８】
その後、照明装置１は、スケジュールに基づいて色温度を調節し（ステップＳ１０５）、処理を終了する。また、照明装置１は、ステップＳ１０１の処理において、第１モードであった場合（ステップＳ１０１，Ｙｅｓ）、センサＳｃからセンサ値を取得し（ステップＳ１０６）、センサ値に連動して色温度を調節し（ステップＳ１０７）、処理を終了する。
【００５９】
上述したように、実施形態に係る照明装置１は、光源部５０と、取得部３１と、調節部３３とを具備する。光源部５０は、色温度を調節可能な光源を有する。取得部３１は、気圧に関する気圧情報を取得する。調節部３３は、取得部３１によって取得された気圧情報に基づいて光源部５０の色温度を調節する。
【００６０】
したがって、実施形態に係る照明装置１によれば、快適な照明空間を提供することが可能である。特に、片頭痛などいわゆる気象病の症状の緩和に有効である。
【００６１】
ところで、上述した実施形態では、気圧に基づいて光源部５０の照明態様を調節する場合について説明したが、これに限定されるものでない。すなわち、気圧に加えて、室温に基づいて光源部５０の照明態様を調節することも可能である。
【００６２】
これは、気象病の原因の一つとして気温の変化が考えられるためである。具体的には、照明装置１は、前日から現在までの気温差が所定値（例えば１０℃）を超える場合、光源部５０の色温度を低く（例えば３６００Ｋ）調節し、上記の気温差が所定値以内であれば、色温度を元（例えば５０００Ｋ）に戻すように調節することができる。
【００６３】
なお、調節部３３は、色温度を低くする際に、光源部５０の照度を調節することも可能である。具体的には、色温度を低くする際に、照度を併せて低く調節し、色温度を高くする際に、照度を併せて元に戻すこともできる。
【００６４】
これにより、光源部５０が利用者へ与える刺激を抑制することができるので、利用者の片頭痛を抑制することが可能となり、快適な照明空間を提供することが可能となる。
【００６５】
また、上述した実施形態では、図１に示したように、オフィスなどの空間に照明装置１が配置される場合について説明したが、これに限定されるものではない。すなわち、例えば、エレベータなど、気圧や気温が変化しやすい空間に照明装置１を適用することにしてもよい。
【００６６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６７】
１    照明装置
１０    通信部
２０    操作部
３１    取得部
３２    予測部
３３    調節部
５０    光源部
【図１】
2020053128.tif 000003
【図２】
2020053128.tif 000004
【図３】
2020053128.tif 000005
【図４】
2020053128.tif 000006
【図５】
2020053128.tif 000007